【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
拡張ランダムアクセスチャネル（ＲＡＣＨ）手順を使用してデータを送信する方法において、
報知シグナリングを経由したアップリンク送信に関連付けら、送信時間の最大量および制御データ部分パワーに対するデータ部分パワーの最大比を含む表示を受信するステップと、
前記受信した送信時間の最大量および前記受信した制御データ部分パワーに対するデータ部分パワーの最大比に従って、前記アップリンクにおいてデータを送信するステップと
を備えることを特徴とする方法。
【請求項２】
前記データは、拡張ＲＡＣＨ上を送信されることを特徴とする請求項１に記載の方法。
【請求項３】
前記データは、拡張物理ランダムアクセスチャネル（ＰＲＡＣＨ）上を送信されることを特徴とする請求項１に記載の方法。
【請求項４】
前記アップリンクにおいてデータを送信する前記ステップは、各々がデータ部分と制御部分とを含む複数のＰＲＡＣＨスロットを送信するステップを含むことを特徴とする請求項１に記載の方法。
【請求項５】
前記データ部分において使用されるチャネル化符合に対する２つ以上の拡散係数を使用してデータを送信するステップをさらに含むことを特徴とする請求項４に記載の方法。
【請求項６】
前記データ部分において使用されるチャネル化符合の数を変更するステップをさらに含むことを特徴とする請求項４に記載の方法。
【請求項７】
前記データ部分における変調の次数を変更するステップをさらに含むことを特徴とする請求項４に記載の方法。
【請求項８】
前記データ部分および前記制御部分の少なくとも１つにおける送信電力を変更するステップをさらに含むことを特徴とする請求項４に記載の方法。
【請求項９】
前記送信時間の最大量は、送信時間間隔の最大数を含むことを特徴とする請求項１に記載の方法。
【請求項１０】
アップリンク送信に関連付けられた前記表示は、
ＰＲＡＣＨフレームを送信するのに使用することができる最大送信レート、
前記ＰＲＡＣＨフレームを送信するのに使用することができる最大電力、
プリアンブルのパワーに対するＰＲＡＣＨデータ部分パワーの最大比、
前記ＰＲＡＣＨフレームの送信のための絶対最大総電力、
プリアンブルの前記パワーに対する、前記ＰＲＡＣＨフレームの送信のための最大電力、
最大ランダムアクセスチャネル（ＲＡＣＨ）トランスポートブロックサイズ、および
送信時間間隔（ＴＴＩ）サイズ
の中の少なくとも１つを含むことを特徴とする請求項１に記載の方法。
【請求項１１】
制御部分パワーに対するデータ部分パワーの第２の最大比を含む第２の表示を受信するステップと、
制御部分パワーに対するデータ部分パワーの前記第２の最大比に従って、前記アップリンクにおいてデータを送信するステップと
をさらに備えることを特徴とする請求項１に記載の方法。
【請求項１２】
前記第２の表示は、拡張絶対許可チャネル（Ｅ−ＡＧＣＨ）および拡張相対許可チャネル（Ｅ−ＲＧＣＨ）のうちの少なくとも１つを経由して受信されることを特徴とする請求項１１に記載の方法。
【請求項１３】
受信機と、
送信機と、
前記受信機および前記送信機と通信をするプロセッサであって、
報知シグナリングを経由したアップリンク送信に関連付けら、送信時間の最大量および制御データ部分パワーに対するデータ部分パワーの最大比を含む表示を受信し、
前記受信した送信時間の最大量および前記受信した制御データ部分パワーに対するデータ部分パワーの最大比に従って、前記アップリンクにおいてデータを送信するよう構成されたプロセッサと
を備えたことを特徴とする無線送受信ユニット（ＷＴＲＵ）。
【請求項１４】
前記データは、拡張ランダムアクセスチャネル（ＲＡＣＨ）上を送信されることを特徴とする請求項１３に記載のＷＴＲＵ。
【請求項１５】
前記データは、拡張物理ランダムアクセスチャネル（ＰＲＡＣＨ）上を送信されることを特徴とする請求項１３に記載のＷＴＲＵ。
【請求項１６】
前記プロセッサは、各々がデータ部分と制御部分とを含む複数のＰＲＡＣＨスロットを送信するようさらに構成されていることを特徴とする請求項１３に記載のＷＴＲＵ。
【請求項１７】
前記プロセッサは、前記データ部分において使用されるチャネル化符合に対する２つ以上の拡散係数を使用してデータを送信するようさらに構成されていることを特徴とする請求項１６に記載のＷＴＲＵ。
【請求項１８】
前記プロセッサは、前記データ部分において使用されるチャネル化符合の数を変更するようさらに構成されていることを特徴とする請求項１６に記載のＷＴＲＵ。
【請求項１９】
前記プロセッサは、前記データ部分における変調を変更するようさらに構成されていることを特徴とする請求項１６に記載のＷＴＲＵ。
【請求項２０】
前記プロセッサは、前記データ部分および前記制御部分の少なくとも１つにおける送信電力を変更するようさらに構成されていることを特徴とする請求項１６に記載のＷＴＲＵ。
【請求項２１】
アップリンク送信に関連付けられた前記表示は、
ＰＲＡＣＨフレームを送信するのに使用することができる最大送信レート、
前記ＰＲＡＣＨフレームを送信するのに使用することができる最大電力、
プリアンブルのパワーに対するＰＲＡＣＨデータ部分パワーの最大比、
前記ＰＲＡＣＨフレームの送信のための絶対最大総電力、
プリアンブルの前記パワーに対する、前記ＰＲＡＣＨフレームの送信のための最大電力、
最大ランダムアクセスチャネル（ＲＡＣＨ）トランスポートブロックサイズ、および
送信時間間隔（ＴＴＩ）サイズ
の中の少なくとも１つを含むことを特徴とする請求項１３に記載のＷＴＲＵ。
【請求項２２】
前記プロセッサは、
制御部分パワーに対するデータ部分パワーの第２の最大比を含む第２の表示を受信し、
制御部分パワーに対するデータ部分パワーの前記第２の最大比に従って、前記アップリンクにおいてデータを送信するようさらに構成されていることを特徴とする請求項１３に記載のＷＴＲＵ。
【請求項２３】
前記第２の表示は、拡張絶対許可チャネル（Ｅ−ＡＧＣＨ）および拡張相対許可チャネル（Ｅ−ＲＧＣＨ）のうちの少なくとも１つを経由して受信されることを特徴とする請求項２２に記載のＷＴＲＵ。
【請求項２４】
アップリンクチャネルへのアクセスを確立する方法において、
物理ランダムアクセスチャネル（ＰＲＡＣＨ）送信のために予約されたスクランブル符合の第１のセットを受信するステップと、
拡張ＰＲＡＣＨ送信のために予約されたスクランブル符合の第２のセットを受信するステップと、
拡張アップリンク送信がサポートされているときは、前記スクランブル符合の第２のセットからスクランブル符合を選択するステップと、
前記選択されたスクランブル符合を含むＰＲＡＣＨプリアンブルを送信するステップと
を備えることを特徴とする方法。
【請求項２５】
第１のＰＲＡＣＨフォーマットにおける送信のために予約されたシグネチャ系列の第１のセットを受信するステップと、
第２のＰＲＡＣＨフォーマットにおける送信のために予約されたシグネチャ系列の第２のセットを受信するステップと、
拡張アップリンク送信がサポートされているときは、受信された前記シグネチャ系列の第２のセットからシグネチャ系列をランダムに選択するステップであって、前記ＰＲＡＣＨプリアンブルは前記ランダムに選択されたシグネチャ系列を含んでいるステップと
をさらに備えることを特徴とする請求項２４に記載の方法。
【請求項２６】
前記第２のＰＲＡＣＨフォーマットは、拡張ＰＲＡＣＨと関連付けられていることを特徴とする請求項２５に記載の方法。
【請求項２７】
受信機と、
送信機と、
前記受信機および前記送信機と通信をするプロセッサであって、
物理ランダムアクセスチャネル（ＰＲＡＣＨ）送信のために予約されたスクランブル符合の第１のセットを受信し、
拡張ＰＲＡＣＨ送信のために予約されたスクランブル符合の第２のセットを受信し、
拡張アップリンク送信がサポートされているときは、前記スクランブル符合の第２のセットからスクランブル符合を選択し、
前記選択されたスクランブル符合を含むＰＲＡＣＨプリアンブルを送信するよう構成されたプロセッサと
を備えたことを特徴とする無線送受信ユニット（ＷＴＲＵ）。
【請求項２８】
前記プロセッサは、
第１のＰＲＡＣＨフォーマットにおける送信のために予約されたシグネチャ系列の第１のセットを受信し、
第２のＰＲＡＣＨフォーマットにおける送信のために予約されたシグネチャ系列の第２のセットを受信し、
拡張アップリンク送信がサポートされているときは、受信された前記シグネチャ系列の第２のセットからシグネチャ系列をランダムに選択し、前記ＰＲＡＣＨプリアンブルは前記ランダムに選択されたシグネチャ系列を含んでいるようにさらに構成されていることを特徴とする請求項２７に記載のＷＴＲＵ。
【請求項２９】
前記第２のＰＲＡＣＨフォーマットは、拡張ＰＲＡＣＨと関連付けられていることを特徴とする請求項２８に記載のＷＴＲＵ。
【請求項３０】
無線通信において、無線リソースを割り当て、ランダムアクセスチャネル上の送信パラメータを制御する方法において、
拡張ランダムアクセスチャネル（ＲＡＣＨ）手順と関連付けられ、制御データ部分パワーに対するデータ部分パワーの最大比と、送信時間の最大量と、物理ランダムアクセスチャネル（ＰＲＡＣＨ）送信のために予約されたスクランブル符合の第１のセットと、拡張ＰＲＡＣＨ送信のために予約されたスクランブル符合の第２のセットと、ＰＲＡＣＨ送信のために予約されたシグネチャ系列の第１のセットと、拡張ＰＲＡＣＨ送信のために予約されたシグネチャ系列の第２のセットとを含む表示を報知するステップと、
前記報知された拡張ＰＲＡＣＨ送信のために予約されたシグネチャ系列の第２のセットのシグネチャ系列と、前記報知された拡張ＰＲＡＣＨ送信のために予約されたスクランブル符合の第２のセットのスクランブル符合とを含むＰＲＡＣＨプリアンブルを受信するステップと、
受信された前記ＰＲＡＣＨプリアンブルに応答して、アクイジションインジケータチャネル（ＡＩＣＨ）フレームを送信するステップと
を備えることを特徴とする方法。